(57)【特許請求の範囲】
【請求項１】
自分に接続された他の機器に装着された記録メディアに記録されている動画像のコンテンツをダビングする記録装置であって、
前記記録メディアと前記記録メディアに記録されている前記コンテンツを構成する単位データであるシーンのうち、既にダビングされたシーンを特定する識別子とを対応付けた情報を記憶するデータベースを有し、
前記他の機器の記録メディアが、前記コンテンツを構成するシーン毎に、固有の識別子が付加されて前記コンテンツを記録することが可能な所定の種類の記録メディアであるか
否かを判定するメディア種類判定手段と、
前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段と
を備える記録装置。
【請求項２】
前記ダビング範囲設定手段は、
前記データベースに記憶されている前記情報に基づいて、前記コンテンツを構成する時間的に連続するシーンのうち、新たにダビングする最初のシーンを特定し、
前記ダビングされたコンテンツを記録する自分の記録メディアの空き容量に基づいて、前記コンテンツを構成する時間的に連続するシーンのうち、新たにダビングする最後のシーンを特定することで前記ダビング範囲を設定する
請求項１に記載の記録装置。
【請求項３】
前記メディア種類判定手段の判定の結果、前記他の機器の記録メディアが、前記所定の種類の記録メディアではないと判定された場合、
前記ダビング範囲設定手段は、
前記他の機器の記録メディアに記録されている時間的に最も古いシーンを、新たにダビングする最初のシーンとして特定する
請求項２に記載の記録装置。
【請求項４】
前記シーンの撮影日に基づいて記録単位のデータであるタイトルを生成し、前記タイトルを自分の記録メディアに記録する記録実行手段をさらに備える
請求項１に記載の記録装置。
【請求項５】
自分に接続された他の機器に装着された記録メディアに記録されている動画像のコンテンツをダビングする記録装置の記録方法であって、
前記他の機器の記録メディアが、前記コンテンツを構成するシーン毎に、固有の識別子が付加されて前記コンテンツを記録することが可能な所定の種類の記録メディアであるか否かを判定し、
前記判定の結果、前記他の機器の記録メディアが、前記所定の種類の記録メディアであると判定された場合、前記記録メディアと前記記録メディアに記録されている前記コンテンツを構成する単位データであるシーンのうち、既にダビングされたシーンを特定する識別子とを対応付けた情報を記憶するデータベースに記憶されている前記情報に基づいて、前記既にダビングされたシーン以外のシーンを、新たにダビングすべきシーンとしてダビング範囲を設定する
ステップを含む記録方法。
【請求項６】
コンピュータを、
自分に接続された他の機器に装着された記録メディアに記録されている動画像のコンテンツをダビングする記録装置であって、
前記記録メディアと前記記録メディアに記録されている前記コンテンツを構成する単位データであるシーンのうち、既にダビングされたシーンを特定する識別子とを対応付けた情報を記憶するデータベースを有し、
前記他の機器の記録メディアが、前記コンテンツを構成するシーン毎に、固有の識別子が付加されて前記コンテンツを記録することが可能な所定の種類の記録メディアであるか否かを判定するメディア種類判定手段と、
前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段とを備える記録装置として機能させるための
プログラム。
【請求項７】
他の機器の記録メディアと前記記録メディアに記録されている前記コンテンツを構成する単位データであるシーンのうち、既にダビングされたシーンを特定する識別子とを対応付けた情報を記憶するデータベースを有し、前記他の機器の記録メディアが、前記コンテンツを構成するシーン毎に、固有の識別子が付加されて前記コンテンツを記録することが可能な所定の種類の記録メディアであるか否かを判定するメディア種類判定手段と、前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段とを備える記録装置に接続された前記他の機器に装着される記録メディアであって、
コンテンツを構成するシーン毎に、固有の識別子が付加されて前記コンテンツが記録されている記録メディア。
【請求項８】
記録メディアに記録されているデータをダビングする記録装置であって、
前記記録メディアと前記記録メディアに記録されている単位データのうち、既にダビングされた前記単位データを特定する識別子とを対応付けた情報を記憶するデータベースを有し、
他の機器の記録メディアが、前記単位データ毎に、固有の識別子が付加されて前記データを記録することが可能な所定の種類の記録メディアであるか否かを判定するメディア種類判定手段と、
前記メディア種類判定手段の判定の結果、前記他の機器の記録メディアが、前記所定の種類の記録メディアであると判定された場合、前記データベースに記憶されている前記情報に基づいて、前記既にダビングされた前記単位データ以外の単位データを、新たにダビングすべき単位データとしてダビング範囲を設定するダビング範囲設定手段と
を備える記録装置。
【請求項９】
記録メディアに記録されているデータをダビングする記録装置の記録方法であって、
他の機器の記録メディアが、前記単位データ毎に、固有の識別子が付加されて前記データを記録することが可能な所定の種類の記録メディアであるか否かを判定し、
前記判定の結果、前記他の機器の記録メディアが、前記所定の種類の記録メディアであると判定された場合、前記記録メディアと前記記録メディアに記録されている単位データのうち、既にダビングされた前記単位データを特定する識別子とを対応付けた情報を記憶するデータベースに記憶されている前記情報に基づいて、前記既にダビングされた前記単位データ以外の単位データを、新たにダビングすべき単位データとしてダビング範囲を設定する
ステップを含む記録方法。
【発明の詳細な説明】
【技術分野】
【０００１】
本発明は、記録装置および方法、並びに記録メディアに関し、特に、ダビングの処理を簡素化するとともに、ユーザにとって分かり易いコンテンツ管理方式を提供することができるようにする記録装置および方法、並びに記録メディアに関する。
【背景技術】
【０００２】
近年、HDDレコーダなど、大容量の記録媒体を有するAV機器が普及している。また、カムコーダやデジタルカメラなど、画像を撮影してデジタルデータのコンテンツを取得する機器も普及している。例えば、カムコーダやデジタルカメラなどで撮影した画像のコンテンツを、HDDレコーダにダビングすることも可能である。
【０００３】
カムコーダやデジタルカメラで撮影したコンテンツをHDDレコーダにダビングする場合、既にダビングされたコンテンツを再びダビングするなどの不都合が生じないように、機器に応じて対策がなされている。
【０００４】
例えば、既に記録されている画像ファイルのファイル名と、これから記録を行なおうとする画像ファイルのファイル名とを比較し、同一のファイル名を持つ画像ファイルがあれば、その画像ファイルの撮影日時または撮影時の露出関連情報をさらに比較する。そして、撮影日時または撮影時の露出関連情報が同一でなければ、ファイル名を生成し差替え、記録して、オリジナル画像の不用意な上書きが防止されるようにすることで、同一の画像ファイル名が並存しても上書きを防止できる画像データ記録方法が提案されている（例えば、特許文献１参照）。
【０００５】
【特許文献１】特開２００７−１９４８６１号公報
【発明の開示】
【発明が解決しようとする課題】
【０００６】
しかしながら、ダビングに要する時間は、短いほどよいし、また、ダビング中の機器の負荷も軽減されることが望ましい。
【０００７】
このため、利便性の高い製品を提供するためには、ダビングの実行において処理の簡素化が重要となる。
【０００８】
また、利便性の高い製品を提供するためには、ダビングされたコンテンツを日付単位に整理するなど、ユーザにとって分かり易い管理方式を採用することも重要となる。
【０００９】
本発明はこのような状況に鑑みてなされたものであり、ダビングの処理を簡素化するとともに、ユーザにとって分かり易いコンテンツ管理方式を提供することができるようにするものである。
【課題を解決するための手段】
【００１０】
本発明の第1の側面は、自分に接続された他の機器に装着された記録メディアに記録されている動画像のコンテンツをダビングする記録装置であって、前記記録メディアと前記記録メディアに記録されている前記コンテンツを構成する単位データであるシーンのうち、既にダビングされたシーンを特定する識別子とを対応付けた情報を記憶するデータベースを有し、前記他の機器の記録メディアが、前記コンテンツを構成するシーン毎に、固有の識別子が付加されて前記コンテンツを記録することが可能な所定の種類の記録メディアであるか否かを判定するメディア種類判定手段と、前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段とを備える記録装置である。
【００１１】
前記ダビング範囲設定手段は、前記データベースに記憶されている前記情報に基づいて、前記コンテンツを構成する時間的に連続するシーンのうち、新たにダビングする最初のシーンを特定し、前記ダビングされたコンテンツを記録する自分の記録メディアの空き容量に基づいて、前記コンテンツを構成する時間的に連続するシーンのうち、新たにダビングする最後のシーンを特定することで前記ダビング範囲を設定するようにすることができる。
【００１２】
前記メディア種類判定手段の判定の結果、前記他の機器の記録メディアが、前記所定の種類の記録メディアではないと判定された場合、前記ダビング範囲設定手段は、前記他の機器の記録メディアに記録されている時間的に最も古いシーンを、新たにダビングする最初のシーンとして特定するようにすることができる。
【００１３】
前記シーンの撮影日に基づいて記録単位のデータであるタイトルを生成し、前記タイトルを自分の記録メディアに記録する記録実行手段をさらに備えるようにすることができる。
【００１４】
本発明の第１の側面は、自分に接続された他の機器に装着された記録メディアに記録されている動画像のコンテンツをダビングする記録装置の記録方法であって、前記他の機器の記録メディアが、前記コンテンツを構成するシーン毎に、固有の識別子が付加されて前記コンテンツを記録することが可能な所定の種類の記録メディアであるか否かを判定し、前記判定の結果、前記他の機器の記録メディアが、前記所定の種類の記録メディアであると判定された場合、前記記録メディアと前記記録メディアに記録されている前記コンテンツを構成する単位データであるシーンのうち、既にダビングされたシーンを特定する識別子とを対応付けた情報を記憶するデータベースに記憶されている前記情報に基づいて、前記既にダビングされたシーン以外のシーンを、新たにダビングすべきシーンとしてダビング範囲を設定するステップを含む記録方法である。
【００１５】
本発明の第１の側面は、コンピュータを、自分に接続された他の機器に装着された記録メディアに記録されている動画像のコンテンツをダビングする記録装置であって、前記記録メディアと前記記録メディアに記録されている前記コンテンツを構成する単位データであるシーンのうち、既にダビングされたシーンを特定する識別子とを対応付けた情報を記憶するデータベースを有し、前記他の機器の記録メディアが、前記コンテンツを構成するシーン毎に、固有の識別子が付加されて前記コンテンツを記録することが可能な所定の種類の記録メディアであるか否かを判定するメディア種類判定手段と、前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段とを備える記録装置として機能させるためのプログラムである。
【００１６】
本発明の第１の側面においては、前記他の機器の記録メディアが、前記コンテンツを構成するシーン毎に、固有の識別子が付加されて前記コンテンツを記録することが可能な所定の種類の記録メディアであるか否かが判定され、前記判定の結果、前記他の機器の記録メディアが、前記所定の種類の記録メディアであると判定された場合、前記記録メディアと前記記録メディアに記録されている前記コンテンツを構成する単位データであるシーンのうち、既にダビングされたシーンを特定する識別子とを対応付けた情報を記憶するデータベースに記憶されている前記情報に基づいて、前記既にダビングされたシーン以外のシーンが、新たにダビングすべきシーンとしてダビング範囲が設定される。
【００１７】
本発明の第２の側面は、他の機器の記録メディアと前記記録メディアに記録されている前記コンテンツを構成する単位データであるシーンのうち、既にダビングされたシーンを特定する識別子とを対応付けた情報を記憶するデータベースを有し、前記他の機器の記録メディアが、前記コンテンツを構成するシーン毎に、固有の識別子が付加されて前記コンテンツを記録することが可能な所定の種類の記録メディアであるか否かを判定するメディア種類判定手段と、前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段とを備える記録装置に接続された前記他の機器に装着される記録メディアであって、コンテンツを構成するシーン毎に、固有の識別子が付加されて前記コンテンツが記録されている記録メディアである。
【００１８】
本発明の第２の側面においては、コンテンツを構成するシーン毎に、固有の識別子が付加されて前記コンテンツが記録されている。
【００１９】
本発明の第３の側面は、記録メディアに記録されているデータをダビングする記録装置であって、前記記録メディアと前記記録メディアに記録されている単位データのうち、既にダビングされた前記単位データを特定する識別子とを対応付けた情報を記憶するデータベースを有し、他の機器の記録メディアが、前記単位データ毎に、固有の識別子が付加されて前記データを記録することが可能な所定の種類の記録メディアであるか否かを判定するメディア種類判定手段と、前記メディア種類判定手段の判定の結果、前記他の機器の記録メディアが、前記所定の種類の記録メディアであると判定された場合、前記データベースに記憶されている前記情報に基づいて、前記既にダビングされた前記単位データ以外の単位データを、新たにダビングすべき単位データとしてダビング範囲を設定するダビング範囲設定手段とを備える記録装置である。
【００２０】
本発明の第３の側面は、記録メディアに記録されているデータをダビングする記録装置の記録方法であって、他の機器の記録メディアが、前記単位データ毎に、固有の識別子が付加されて前記データを記録することが可能な所定の種類の記録メディアであるか否かを判定し、前記判定の結果、前記他の機器の記録メディアが、前記所定の種類の記録メディアであると判定された場合、前記記録メディアと前記記録メディアに記録されている単位データのうち、既にダビングされた前記単位データを特定する識別子とを対応付けた情報を記憶するデータベースに記憶されている前記情報に基づいて、前記既にダビングされた前記単位データ以外の単位データを、新たにダビングすべき単位データとしてダビング範囲を設定するステップを含む記録方法である。
【００２１】
本発明の第３の側面においては、他の機器の記録メディアが、前記単位データ毎に、固有の識別子が付加されて前記データを記録することが可能な所定の種類の記録メディアであるか否かが判定され、前記メディア種類判定手段の判定の結果、前記他の機器の記録メディアが、前記所定の種類の記録メディアであると判定された場合、前記記録メディアと前記記録メディアに記録されている単位データのうち、既にダビングされた前記単位データを特定する識別子とを対応付けた情報を記憶するデータベースに記憶されている前記情報に基づいて、前記既にダビングされた前記単位データ以外の単位データを、新たにダビングすべき単位データとしてダビング範囲が設定される。
【発明の効果】
【００２２】
本発明によれば、ダビングの処理を簡素化するとともに、ユーザにとって分かり易いコンテンツ管理方式を提供することができるようにする。
【発明を実施するための最良の形態】
【００２３】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の第１の側面の記録装置は、自分に接続された他の機器（例えば、図１のカムコーダ２２）に装着された記録メディア（例えば、メディア２３）に記録されている動画像のコンテンツをダビングする記録装置であって、前記記録メディアと前記記録メディアに記録されている前記コンテンツを構成する単位データであるシーンのうち、既にダビングされたシーンを特定する識別子とを対応付けた情報を記憶するデータベース（例えば、図４のデータベース）を有し、前記他の機器の記録メディアが、前記コンテンツを構成するシーン毎に、固有の識別子が付加されて前記コンテンツを記録することが可能な所定の種類の記録メディアであるか否かを判定するメディア種類判定手段（例えば、図５のメディア種類特定部１７１）と、前記メディア種類判定手段の判定の結果、前記他の機器の記録メディアが、前記所定の種類の記録メディアであると判定された場合、前記データベースに記憶されている前記情報に基づいて、前記既にダビングされたシーン以外のシーンを、新たにダビングすべきシーンとしてダビング範囲を設定するダビング範囲設定手段（例えば、取り込み範囲設定部１７２）とを備える。
【００２５】
前記ダビング範囲設定手段は、前記データベースに記憶されている前記情報に基づいて、前記コンテンツを構成する時間的に連続するシーンのうち、新たにダビングする最初のシーン（例えば、取り込み開始シーン）を特定し、前記ダビングされたコンテンツを記録する自分の記録メディア（例えば、図１のHDD５２）の空き容量に基づいて、前記コンテンツを構成する時間的に連続するシーンのうち、新たにダビングする最後のシーン（例えば、取り込み終了シーン）を特定することで前記ダビング範囲を設定するようにすることができる。
【００２６】
前記シーンの撮影日に基づいて記録単位のデータであるタイトルを生成し、前記タイトルを自分の記録メディアに記録する記録実行手段（例えば、図５の取り込み実行部１７３）をさらに備えるようにすることができる。
【００２７】
本発明の第１の側面の記録方法は、自分に接続された他の機器（例えば、図１のカムコーダ２２）に装着された記録メディア（例えば、メディア２３）に記録されている動画像のコンテンツをダビングする記録装置の記録方法であって、前記他の機器の記録メディアが、前記コンテンツを構成するシーン毎に、固有の識別子が付加されて前記コンテンツを記録することが可能な所定の種類の記録メディアであるか否かを判定し（例えば、図６のステップＳ１５の処理）、前記判定の結果、前記他の機器の記録メディアが、前記所定の種類の記録メディアであると判定された場合、前記記録メディアと前記記録メディアに記録されている前記コンテンツを構成する単位データであるシーンのうち、既にダビングされたシーンを特定する識別子とを対応付けた情報を記憶するデータベース（例えば、図４のデータベース）に記憶されている前記情報に基づいて、前記既にダビングされたシーン以外のシーンを、新たにダビングすべきシーンとしてダビング範囲を設定する（例えば、図６のステップＳ１８、ステップＳ１９の処理）ステップを含む。
【００２８】
以下、図面を参照して、本発明の実施の形態について説明する。
【００２９】
図１は、本発明の一実施の形態に係る記録装置の例を示す図である。
【００３０】
同図において、記録装置２１とカムコーダ２２は、例えば、それぞれUSB（Universal Serial Bus）のインタフェースを有する機器とされ、USBケーブル３１により相互に接続されている。
【００３１】
記録装置２１は、例えば、HDDレコーダとして構成される。記録装置２１は、少なくとも、各種の処理の実行を制御する制御部５１と、コンテンツなどのデータを記録するHDD（Hard Disk Drive）５２とを有する構成とされている。
【００３２】
記録装置２１には、例えば、テレビジョン受像機などで構成されるディスプレイ２４が接続される。例えば、HDD５２に記録されたコンテンツが再生された画像は、ディスプレイ２４に表示される。また、記録装置２１の操作に用いられるGUI（Graphical User Interface）の画像などもディスプレイ２４に表示される。
【００３３】
カムコーダ２２は、動画像または静止画像を撮影し、デジタルデータのコンテンツとしてメディア２３に記録するようになされている。メディア２３は、例えば、メモリースティック（登録商標）などの着脱可能な半導体メモリなどにより構成される。
【００３４】
カムコーダ２２は、例えば、AVCHD（Advanced Video Coding HD）フォーマットで動画像のコンテンツのデータを生成してメディア２３に記録する。
【００３５】
図２は、カムコーダ２２で撮影されてメディア２３に記録されたコンテンツの例を示す図である。
【００３６】
同図に示されるように、メディア２３に記録されたコンテンツは、シーン８１、シーン８２、シーン８３、・・・シーン８７、・・・のように、複数のシーンにより構成されている。ここでシーンは、カムコーダ２２の撮影単位とされ、例えば、カムコーダ２２に対して撮影の開始が指令されてから撮影の終了が指令されるまでの間の時間的に連続する動画像のデータとされる。
【００３７】
例えば、図２において、シーン８１には、「´０７／０１／０１  AM１０：００」と示されているが、これは、シーン８１が、西暦２００７年１月１日の午前１０時００分に撮影開始された動画像のシーンであることを表している。なお、同図は、メディア２３に記録されているコンテンツなどにおいて、実際にこのような情報が表示されることなどを意味するものではない。
【００３８】
実際に記録されているデータにおいてシーンの撮影開始時刻は、例えば、AVCHDの規格で規定された、録画日時を表すフィールドに記述されている。
【００３９】
このように、メディア２３に記録されているシーンのデータには、動画像のデータと、その動画像の撮影開始時刻を表す管理情報のデータなどが含まれている。
【００４０】
また、図２において、各シーンには、それぞれIDが付されている。すなわち、シーン８１には「ID１」が付されており、シーン８２には「ID２」が付されており、・・・シーン８７には「ID７」が付されている。このように、カムコーダ２２は、各シーンのデータにIDを付加してメディア２３に記録するようになされている。
【００４１】
実際に各シーンに付加されるIDは、例えば、所定の数（桁）の数字や文字などで構成されて、それぞれのシーンに固有のものとされ、例えば、シーン８１が削除された後、新たなシーンが撮影されて生成されたとしても、そのシーンに「ID１」が付加されることなないものとされる。このように、各シーンに付加されたIDをシーンIDと称することとする。
【００４２】
なお、メディア２３に記録されているコンテンツを構成するシーンは、撮影日時が古いものから順に、記録されているものとし、それらのシーンに付加されるシーンＩＤも、例えば、撮影日時が新しいシーンほど数値が大きくなるように、順番に付加されていくものとする。
【００４３】
記録装置２１は、USBケーブルで接続されている機器であるカムコーダ２２のメディア２３に記録されているコンテンツをダビングすることできるようになされている。例えば、ユーザの指令に基づいて、記録装置２１の制御部５１は、カムコーダ２２からコンテンツのデータを取り込む処理を実行し、HDD５２に記録するようになされている。
【００４４】
図３は、カムコーダ２２で撮影されてメディア２３に記録されたコンテンツがダビングされ、記録装置２１のHDD５２に記録された例を示す図である。
【００４５】
同図に示されるように、記録装置２１のHDD５２に記録されるコンテンツは、タイトル単位に管理される。この例では、タイトル１乃至タイトル３の３つのタイトルが生成されている。記録装置２１は、メディア２３に記録されているシーンのうち、同じ日に撮影開始されたシーンを１つのタイトルとして取り込むようになされている。
【００４６】
すなわち、図３に示された３つのタイトルのうちの、タイトル１には、チャプタ１０１乃至チャプタ１０４が含まれており、チャプタ１０１は、西暦２００７年１月１日の午前１０時００分（「´０７／０１／０１  AM１０：００」）に撮影開始された動画像のデータとされ、シーン８１に対応する動画像のデータで構成されている。同様に、チャプタ１０２乃至チャプタ１０４は、シーン８２乃至シーン８４に対応する動画像で構成されており、それらの動画像の撮影日は、いずれも西暦２００７年１月１日である。
【００４７】
また、タイトル２には、チャプタ１２１とチャプタ１２２が含まれており、チャプタ１２１は、西暦２００７年２月３日の午後９時００分（「´０７／０２／０３  PM９：００」）に撮影開始された動画像のデータとされ、シーン８５に対応する動画像のデータで構成されている。同様に、チャプタ１２２は、シーン８６に対応する動画像で構成されており、その動画像の撮影日は、やはり西暦２００７年２月３日である。
【００４８】
さらに、タイトル３には、チャプタ１４１が含まれており、チャプタ１４１は、西暦２００７年３月３日の午後６時００分（「´０７／０３／０３  PM６：００」）に撮影開始された動画像のデータとされ、シーン８７に対応する動画像のデータで構成されている。
【００４９】
このように、記録装置２１は、撮影日毎にタイトルを生成し、HDD５２にコンテンツを記録する。例えば、HDD５２に記録されたコンテンツを再生する場合などに、撮影日毎に再生するようにすれば、ユーザにとって分かり易く、所望のコンテンツを探すなどするときも便利である。
【００５０】
ところで、記録装置２１は、例えば、メディア２３から取得したシーンをどこまでダビングしたかを記憶するようになされている。
【００５１】
例えば、カムコーダ２２において、シーン８１乃至シーン８４を撮影してメディア２３に記録した後、カムコーダ２２と記録装置２１とをUSBケーブル３１を介して接続して、メディア２３に記録されたコンテンツをダビングした場合、HDD５２には、チャプタ１０１乃至チャプタ１０４を含むタイトル１が記録される。
【００５２】
その後、カムコーダ２２において、シーン８５とシーン８６を撮影してメディア２３に記録し、カムコーダ２２と記録装置２１とをUSBケーブル３１を介して接続して、メディア２３に記録されたコンテンツをダビングしたとする。なお、このとき、先に撮影されたシーン８１乃至シーン８４は削除されておらず、メディア２３に記録されているものとする。
【００５３】
いまの場合、記録装置２１は、チャプタ１０１乃至チャプタ１０４を含むタイトル１をあらためて生成することなく、チャプタ１２１とチャプタ１２２とを含むタイトル２のみを生成してHDD５２に記録することができる。
【００５４】
図４に示されるように、記録装置２１は、カムコーダ２２から、メディア２３のメディアIDを取得するようになされており、メディアIDと取り込み完了シーンIDとを対応付けた情報を、データベースとして、例えば、HDD５２の所定の記憶領域に記憶するようになされている。
【００５５】
図４は、ダビングの処理に伴って、記録装置２１がカムコーダ２２にコンテンツを構成するデータのうち、今回のダビングにおいて取り込みの対象となるシーンのデータの取得要求を送信し、カムコーダ２２がそのシーンのデータをストリームとして記録装置２１に送信することを表している。また、装着されたメディア２３のメディアＩＤが記録装置２１により取得され、メディアＩＤと取り込み完了シーンＩＤとを対応付けた情報が生成されることを表している。
【００５６】
ここで、メディアIDは、例えば、所定の数（桁）の数字や文字などで構成され、メディア２３などのメディアのそれぞれに付加された固有のIDとされる。取り込み完了シーンIDは、そのメディアIDに対応するメディアから既に取り込んだシーンを特定するためのシーンIDとされ、例えば、シーン８１乃至シーン８４が既にダビングされて記録装置２１に取り込まれている場合、シーン８４のシーンIDである「ＩＤ４」が、取り込み完了シーンIDとなる。
【００５７】
記録装置２１は、あるメディアからコンテンツのダビングを行うと、そのメディアのメディアIDと取り込み完了シーンIDとを対応付けた情報を生成して、データベースに記憶するようになされている。このようにして、記録装置２１のデータベースには、各メディアのメディアＩＤと、それぞれのメディアの取り込み完了シーンＩＤとを対応付けた情報が蓄積されていくことになる。
【００５８】
すなわち、記録装置２１は、一度、メディア２３のコンテンツをダビングすると、メディア２３のメディアIDと取り込み完了シーンIDとを対応付けた情報を、データベースに記憶するようになされている。そして、再びメディア２３のコンテンツをダビングするとき、メディア２３のメディアIDに基づいてデータベースを検索し、前回どこまでシーンを取り込んでいたかを特定してから、今回のダビングで取り込むべきシーンを特定するようになされている。
【００５９】
このように、メディアIDと取り込み完了シーンIDとを対応付けた情報に基づいて、ダビングの処理を行うことで、記録装置２１は、例えば、メディア２３からコンテンツをダビングする場合、前回取り込んだシーン（例えば、シーン８４）の続きから（例えば、シーン８５から）取り込むことが可能となる。また、前回取り込んだシーンの続きのシーンは、シーンＩＤにより簡単に特定できるので、例えば、ダビングの実行において処理が簡素化できる。
【００６０】
ただし、記録装置２１は、特にユーザから指定された場合などは、メディアIDと取り込み完了シーンIDとを対応付けた情報に係らずダビングの処理を行い、例えば、メディア２３に記録されている最初のシーン（例えば、シーン８１）から取り込むようになされている。
【００６１】
図５は、記録装置２１の制御部５１の機能的構成例を示すブロック図である。同図に示されるように、制御部５１は、少なくとも、メディア種類特定部１７１と、取り込み範囲設定部１７２と、取り込み実行部１７３とを含む機能的構成を有している。この構成は、ハードウェアにより実現されてもよいし、ソフトウェアにより実現されるようにしてもよい。
【００６２】
メディア種類特定部１７１は、ダビングされるコンテンツの取り込み元の機器のメディアであって、例えば、USBケーブルを介して接続されるカムコーダ２２に装着されたメディア２３の種類を特定する処理の実行を制御する。ここでは、ダビングされるコンテンツの取り込み元の機器のメディアが、図２を参照して上述したフォーマットでコンテンツを記録できるメディアであるか否かが特定される。メディアの種類の特定は、例えば、メディアIDとともに取得されるメディアの製造メーカを表す情報などに基づいて行われえる。
【００６３】
取り込み範囲設定部１７２は、取り込むべきシーンの範囲の設定の処理を制御する。すなわち、取り込み範囲設定部１７２は、取り込み元の機器のメディアに記録されているシーンの中の、どのシーンからどのシーンまで取り込むかを設定する。
【００６４】
取り込み実行部１７３は、取り込み元の機器のメディアに記録されているシーンを取り込んで、タイトルを生成し、HDD５２に記録する処理の実行を制御する。また、取り込み実行部１７３は、図４を参照して上述したデータベースに記憶される、メディアIDと取り込み完了シーンIDとを対応付けた情報の生成、または更新を行う処理の実行を制御する。
【００６５】
取り込み実行部１７３は、１つのタイトルがHDD５２に記録されたタイミングで、メディアIDと取り込み完了シーンIDとを対応付けた情報を更新するようになされている。例えば、メディア２３からシーン８１乃至シーン８７が取り込まれている場合、シーン８１乃至シーン８４が取り込まれてタイトル１が記録されたとき、メディア２３を表すメディアIDと、取り込み完了シーンID「ID４」とを対応づけた情報がデータベースに記憶され、シーン８５とシーン８６が取り込まれてタイトル２が記録されたとき、メディア２３を表すメディアIDに対応づけられている取り込み完了シーンIDが「ID６」に更新されてデータベースに記憶される。そして、シーン８７が取り込まれてタイトル３が記録されたとき、メディア２３を表すメディアIDに対応づけられている取り込み完了シーンIDが「ID７」に更新されてデータベースに記憶される。
【００６６】
次に、図６のフローチャートを参照して、記録装置２１によるデータ取り込みについて説明する。この処理は、例えば、カムコーダ２２がUSBケーブル３１を介して記録装置２１に接続され、コンテンツのダビングが指令されたとき実行される。
【００６７】
ステップＳ１１において、記録装置２１の制御部５１は、同時動作確認処理を実行する。なお、この処理は、記録装置２１が異なる処理を同時に実行できないものである場合、実行される。同時動作確認処理は、例えば、記録装置２１に予め設定されている録画予約の情報などをチェックして、コンテンツのダビングを続行できるか否かを確認する処理とされる。例えば、取り込み処理を実行中に、記録装置２１に予め設定されている録画予約に基づく録画が実行されると判定された場合、ディスプレイ２４に図７に示されるような画面が表示される。
【００６８】
図７の例では、「以下の時間に開始する録画予約があります。録画が始まると中止されますが、続けますか？」というメッセージが表示されている。ここでは、午後８時４５分（８：４５PM）から放送される「首都ニュース」という番組の録画予約がなされており、取り込み処理を実行中に、「首都ニュース」の録画が実行されると判定されたことになる。ユーザが、例えば、図示せぬリモートコマンダなどを操作して、ボタン２０１を押下した場合、取り込み処理は続行可能とされ、ボタン２０２を押下した場合、取り込み処理は続行不可能とされる。
【００６９】
図６のステップＳ１２において、上述したように、処理を続行可能か否かが判定され、処理が続行可能と判定された場合、ステップＳ１３に進む。
【００７０】
なお、記録装置２１が、予め設定されている録画予約に基づく録画の実行と同時に、ダビングの処理を実行できるものである場合、ステップＳ１１とステップＳ１２の処理を実行させる必要はなく、ステップＳ１３の処理から実行されるようにすればよい。
【００７１】
ステップＳ１３において、制御部５１は、HDD５２の空き容量をチェックする。ここでチェックされたHDD５２の空き容量は、例えば、制御部５１の内部のメモリなどに記憶される。
【００７２】
ステップＳ１４において、制御部５１のメディア種類特定部１７１は、ダビングされるコンテンツの取り込み元の機器のメディアをチェックする。ここでは、メディアIDの取得とメディアの種類の特定が行われる。メディアの種類の特定は、例えば、メディアIDとともに取得されるメディアの製造メーカを表す情報などに基づいて行われえる。
【００７３】
ステップＳ１５において、メディア種類特定部１７１は、取り込み元の機器のメディアが、所定の種類のメディアか否かを判定する。ここでは、当該メディアが図２を参照して上述したフォーマットでコンテンツを記録できるメディアであるか否かが判定される。図２を参照して上述したフォーマットでコンテンツを記録できるメディア、すなわち、シーンＩＤが付加されて各シーンが記録されているメディアであることが特定された場合、取り込み元の機器のメディアが、ステップＳ１５の処理で所定の種類のメディアであると判定されることになり、処理は、ステップＳ１６に進む。
【００７４】
ステップＳ１６において、制御部５１の取り込み範囲設定部１７２は、取り込み方法を選択させ、ステップＳ１７において、選択された取り込み方法を判定する。ここで、取り込み方法は、前回取り込んだシーンの続きから取り込むもの、または、メディアに記録されている最初のシーンから取り込むものを表す。ステップＳ１６の処理に伴って、ディスプレイ２４に、例えば、図８に示されるような画面が表示され、ユーザの選択が入力される。
【００７５】
図８の画面の例では、ボタン２２１とボタン２２２が表示されており、ユーザが、例えば、リモートコマンダなどを操作して、メディアに記録されている最初のシーンから取り込むことを表すボタン２２１を押下した場合、処理は、図６のステップＳ２０に進むことになり、前回取り込んだシーンの続きから取り込むことを表すボタン２２２を押下した場合、処理は、ステップＳ１８に進むことになる。
【００７６】
なお、ステップＳ１４の処理で取得されたメディアIDに基づいて、図４を参照して上述したデータベースを予め検索しておき、当該メディアIDに対応する情報が存在する場合のみ、図８の画面を表示してユーザに選択させ、当該メディアIDに対応する情報が存在しない場合は、ステップＳ１６とステップＳ１７の処理がスキップされて、ステップＳ２０に進むようにしてもよい。
【００７７】
また、ステップＳ１５において、所定の種類のメディアではないと判定された場合、ステップＳ１６とステップＳ１７の処理がスキップされて、ステップＳ２０に進むことになる。
【００７８】
処理がステップＳ１８に進む場合、ステップＳ１８において、取り込み範囲設定部１７２は、ステップＳ１４の処理で取得されたメディアIDに基づいて、図４を参照して上述したデータベースを検索して得られる情報から、当該メディアIDに対応付けられた取り込み完了シーンIDを特定することで、取り込み開始シーンを特定する。
【００７９】
例えば、取り込み元のメディアがメディア２３であり、メディア２３を表すメディアIDに対応付けられた取り込み完了シーンIDが「ID４」である場合、ステップＳ１８において、取り込み範囲設定部１７２は、シーンIDが「ID５」のシーン８５を、取り込み開始シーンとして特定する。
【００８０】
ステップＳ１９において、取り込み範囲設定部１７２は、取り込み終了シーンを特定する。ここでは、ステップＳ１３の処理により得られたHDD５２の空き容量に基づいて、メディアに記録されているシーンをどれだけ取り込めるか否かが判定され、ステップＳ１８の処理で特定された取り込み開始シーンから、そのメディアに最後に記録されているシーンまでを取り込めると判定された場合、そのメディアに最後に記録されているシーンが取り込み終了シーンとされる。一方、ステップＳ１８の処理で特定された取り込み開始シーンから、そのメディアに最後に記録されているシーンまでを取り込めないと判定された場合、HDD５２の空き容量に応じて定まるデータ量に対応するシーンの数が特定されてその最後のシーンが取り込み終了シーンとされる。
【００８１】
処理がステップＳ２０に進む場合、ステップＳ２０において、取り込み範囲設定部１７２は、メディアに記録されている最初のシーンを取り込み開始シーンとして特定する。
【００８２】
ステップＳ２１において、取り込み範囲設定部１７２は、取り込み終了シーンを特定する。ここでは、ステップＳ１３の処理により得られたHDD５２の空き容量に基づいて、メディアに記録されているシーンを全て取り込めるか否かが判定され、ステップＳ２０の処理で特定された取り込み開始シーン（すなわち最初のシーン）から、そのメディアに最後に記録されているシーンまでを取り込めると判定された場合、そのメディアに最後に記録されているシーンが取り込み終了シーンとされる。一方、ステップＳ２０の処理で特定された取り込み開始シーンから、そのメディアに最後に記録されているシーンまでを取り込めないと判定された場合、HDD５２の空き容量に応じて定まるデータ量に対応するシーンの数が特定されてその最後のシーンが取り込み終了シーンとされる。
【００８３】
ステップＳ１９、またはステップＳ２１の処理の後、処理は、ステップＳ２３に進む。ステップＳ２３において、図９を参照して後述する取り込み実行処理が実行される。
【００８４】
次に、図９のフローチャートを参照して、図６のステップＳ２３の取り込み実行処理の詳細について説明する。ステップＳ４１において、制御部５１の取り込み実行部１７３は、タイトルを生成する。上述したように、タイトルは、シーンの撮影日に対応して生成される。
【００８５】
ステップＳ４２において、取り込み実行部１７３は、シーンを取り込む。最初に取り込まれるシーンは、図６のステップＳ１８またはステップＳ２０の処理で特定された取り込み開始シーンとされる。
【００８６】
ステップＳ４３において、取り込み実行部１７３は、ステップＳ４２の処理で取り込んだシーンに対応するチャプタを生成する。
【００８７】
ステップＳ４４において、取り込み実行部１７３は、図６のステップＳ１９またはステップＳ２１の処理で特定された取り込み終了シーンを取り込んだか否かを判定し、まだ取り込んでいないと判定された場合、処理は、ステップＳ４５に進む。
【００８８】
ステップＳ４５において、取り込み実行部１７３は、ステップＳ４２の処理で取り込んだシーンと、次に取り込むべきシーンの日付（撮影日）が変わったか否かを判定する。ステップＳ４５において、日付が変わっていないと判定された場合、処理は、ステップＳ４２に戻り、次のシーンが取り込まれる。
【００８９】
このように、ステップＳ４４において、取り込み終了シーンを取り込んだと判定されるか、またはステップＳ４５で日付が変わったと判定されるまで、ステップＳ４２乃至ステップＳ４５の処理が繰り返し実行される。
【００９０】
ステップＳ４５において、日付が変わったと判定された場合、処理は、ステップＳ４６に進む。
【００９１】
ステップＳ４６において、取り込み実行部１７３は、タイトルをHDD５２に記録するとともに、図４を参照して上述したデータベースにおける、当該メディアIDに対応付けられた取り込み完了シーンIDを更新する。
【００９２】
ステップＳ４６の処理の後、処理は、ステップＳ４１に戻り、次のシーンの撮影日に対応するタイトルが生成されて、ステップＳ４２乃至ステップＳ４５の処理が実行される。
【００９３】
また、ステップＳ４４において、取り込み終了シーンを取り込んだと判定された場合、処理は、ステップＳ４７に進み、取り込み実行部１７３は、タイトルをHDD５２に記録するとともに、図４を参照して上述したデータベースにおける、当該メディアIDに対応付けられた取り込み完了シーンIDを更新する。そして、処理は終了する。
【００９４】
なお、当該メディアに記録されたコンテンツのダビングが以前に実行されていたにもかかわらず、図６のステップＳ１６において、ユーザがメディアに記録されている最初のシーンから取り込むことを表すボタン２２１（図８）を押下した場合、既に記憶されている取り込み完了シーンＩＤを越えてシーンが取り込まれない限り、ステップＳ４６またはステップＳ４７での情報の更新は行われないものとする。
【００９５】
例えば、以前に行われたダビングの処理により、メディア２３からシーン８１乃至シーン８７が既に取り込まれている場合、シーン８１乃至シーン８４が取り込まれてタイトル１が記録されたとき、メディア２３を表すメディアIDと、取り込み完了シーンID「ID４」とを対応づけた情報が記録装置２１のデータベースに記憶されている。この状態から、再びメディア２３からのダビングが行われ、ユーザが、取り込み方法（ダビング方法）としてメディアに記録されている最初のシーンから取り込むことを選択し、シーン８１乃至シーン８３の３つのシーンが再び取り込まれて処理が終了した場合、メディア２３を表すメディアIDと、取り込み完了シーンID「ID４」とを対応づけた情報は更新されないことになる。
【００９６】
図９を参照して上述した処理の実行に先立って、記録装置２１は、例えば、図６のステップＳ１９またはステップＳ２１の処理の後、図１０に示されるような画面を、ディスプレイ２４に表示させる。
【００９７】
図１０の例では、同図の画面左上に示されるアイコン２４１が、USBケーブルで接続されたカムコーダからのダビングが実行されることを表している。
【００９８】
また、同図の画面の領域２４２には、取り込み開始シーンから取り込み終了シーンまでの、取り込まれるシーンのデータ量およびカムコーダを表すアイコンが表示される小領域２４２ａと、取り込み先の記録媒体であるHDD５２を表すアイコンと、HDD５２の空き容量（残容量（「残」））が表示される小領域２４２ｂが含まれている。この例では、取り込まれるシーンのデータ量が４.２GBと表示されており、HDD５２の空き容量が６.９GBと表示されている。なお、HDD５２の空き容量は、定期的にチェックされて更新されるようにしてもよい。
【００９９】
領域２４３は、USBケーブルで接続された機器（接続機器）であるカムコーダの機種名が表示される領域とされる。なお、機種名とともに、カムコーダの製造メーカなどが表示されるようにしてもよい。
【０１００】
領域２４４は、取り込まれるシーンのジャンルなどを表すマークを表示する領域とされる。この例では、星型のマークが表示されており、「バラエティ」と表示されている。すなわち、取り込まれるシーンは、ジャンル「バラエティ」に属するものとされ、例えば、HDDに記録されたタイトルを表示するときなど、必要に応じて星型のマークが表示される。なお、ジャンルは、「バラエティ」以外にも、例えば、「スポーツ」、「ドラマ」など複数のジャンルを設定することができ、それぞれのジャンルに対応するマークも必要に応じてユーザが設定できるものとする。
【０１０１】
領域２４５は、ダビングに関する詳細な情報を表示する領域とされる。この例では、領域２４５の第１行目に「録画先：HDD」と表示されている。これは、録画先（取り込み先）の記録媒体がHDD５２であることを表している。
【０１０２】
領域２４５の第２行目に「ダビング方法：続きから」と表示されている。これは、図６のステップＳ１６の処理で選択された取り込み方法（ダビング方法）が「続きから」、すなわち、前回取り込んだシーンの続きから取り込むものであることを表している。なお、図６のステップＳ１６の処理で選択された取り込み方法（ダビング方法）がメディアに記録されている最初のシーンから取り込むものであった場合、領域２４５の第２行目には、「ダビング方法：最初から」と表示されることになる。
【０１０３】
領域２４５の第３行目には、「ダビングタイトル数：２０」と表示されている。これは、図９を参照して上述した処理を実行すると生成されるタイトルの数が２０であることを表している。すなわち、これから取り込むべきシーンの撮影日は、それぞれ異なる２０の日付であることになる。
【０１０４】
領域２４５の第４行目には、「ダビング範囲：２００７／０３／３１−２００７／０４／２０」と表示されている。これは、取り込み開始シーンの撮影日が西暦２００７年３月３１日（２００７／０３／３１）であり、取り込み終了シーンの撮影日が西暦２００７年４月２０日（２００７／０４／２０）であることを表している。
【０１０５】
領域２４５の第５行目には、バーチャートが表示されている。
【０１０６】
領域２４５の第６行目には、「撮影範囲：２００７／０１／０１−２００７／０４／２０」と表示されている。これは、カムコーダのメディアに記録されている最初のシーンの撮影日が西暦２００７年１月１日（２００７／０１／０１）であり、カムコーダのメディアに記録されている最後のシーンの撮影日が西暦２００７年４月２０日（２００７／０４／２０）であることを表している。
【０１０７】
領域２４５の第５行目のバーチャートは、バーの最も左側の位置が、カムコーダのメディアに記録されている最初のシーンの撮影日（２００７／０１／０１）に対応しており、バーの最も右側の位置がカムコーダのメディアに記録されている最後のシーンの撮影日（２００７／０４／２０）に対応している。そして、バー上に２つ表示されている逆三角形の印うち、図中左側の逆三角形の印の位置が、取り込み開始シーンの撮影日（２００７／０３／３１）に対応しており、図中右側の逆三角形の印の位置が、取り込み終了シーンの撮影日（２００７／０４／２０）に対応している。すなわち、カムコーダのメディアに記録されているシーンのデータ量を１００％としてバーで表示し、バーの中で図中黒く塗られた部分がこれから取り込まれるシーンの範囲とされている。
【０１０８】
なお、例えば、ＨＤＤ５２の空き容量が充分ではなく、取り込み開始シーンから、メディアに記録されている最後のシーンまでを取り込むことができない場合、領域２４５の第５行目のバーチャートは、図１１に示されるように表示されることになる。
【０１０９】
図１１の例では、バー上に２つ表示されている逆三角形の印うち、図中右側の逆三角形の印の位置が、図１０の場合と比較してより左側に位置している。すなわち、いまの場合、取り込み終了シーンの撮影日が、メディアに記録されている最後のシーンの撮影日と一致していないことが分かる。
【０１１０】
このような画面を表示することにより、これから実行されるダビングの処理に関する情報をユーザにとってより分かり易く伝えることが可能となる。
【０１１１】
図１０の図中右側に表示されている「実行」のボタンが押下されると、図９を参照して上述した処理が実行される。「中止」のボタンが押下されると、図９を参照して上述した処理は実行されない。
【０１１２】
図９を参照して上述した処理の実行中、記録装置２１は、例えば、図１２に示されるような画面をディスプレイ２４に表示させる。
【０１１３】
図１２の画面の図中左上には、やはりUSBケーブルで接続されたカムコーダからのダビングが実行されることを表すアイコン２４１が表示されている。
【０１１４】
同図の領域２６１には、「ダビング中タイトル  １３／２０」と表示されている。これは、図９を参照して上述した処理を実行すると生成されるタイトルの数が２０であり、そのうち、現在第１３番目のタイトルを生成していることを表している。
【０１１５】
領域２６２には、バーチャートが表示されている。ここでは、取り込み開始シーンから取り込み終了シーンまでのデータ量を１００％としてバーで表示され、そのうち、既に取り込まれたシーンのデータ量に対応する部分が、図中ハッチングで表示される。この例では、取り込むべきシーンのデータ量１００％のうち、７０％が既に取り込まれていることを表している。
【０１１６】
領域２６３は、現在取り込んでいるシーンに関する情報が表示される領域とされる。領域２６３のボックス２６３ａには、現在取り込んでいるシーンのサムネイルが表示される。なお、サムネイルは、例えば、そのシーンのデータのうちの最初のＩピクチャのデータを再生して得られる画像などとされる。
【０１１７】
ボックス２６３ａの図中右側には、「２００７／０４／０３  AM１０：００−PM５：００」と表示されている。これは、現在取り込んでいるシーンが、西暦２００７年４月３日（２００７／０４／０３）の午前１０時００分（AM１０：００）に撮影が開始され、午後５時００分（PM５：００）に撮影が終了された時間的に連続する動画像で構成されるシーンであることを表している。
【０１１８】
このような画面を表示することにより、現在実行しているダビングの処理の進捗状況に関する情報をユーザにとってより分かり易く伝えることが可能となる。
【０１１９】
なお、同図のボタン２６４が押下されると、図９を参照して上述した処理が一時的に停止されるようになされている。
【０１２０】
以上においては、記録装置２１がHDDレコーダとして構成される場合を例として説明したが、記録装置２１が、例えば、パーソナルコンピュータとして構成されるようにしてもよい。また、取り込み先の記録媒体も、HDDに限られるものではなく、DVDなどが用いられるようにすることも可能である。
【０１２１】
さらに、取り込み元となる機器は、カムコーダに限られるものではなく、コンテンツが記録されているメディアを装着可能な機器であればよい。
【０１２２】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１３に示されるような汎用のパーソナルコンピュータ７００などに、ネットワークや記録媒体からインストールされる。
【０１２３】
図１３において、CPU（Central Processing Unit）７０１は、ROM（Read Only Memory）７０２に記憶されているプログラム、または記憶部７０８からRAM（Random Access Memory）７０３にロードされたプログラムに従って各種の処理を実行する。RAM７０３にはまた、CPU７０１が各種の処理を実行する上において必要なデータなども適宜記憶される。
【０１２４】
CPU７０１、ROM７０２、およびRAM７０３は、バス７０４を介して相互に接続されている。このバス７０４にはまた、入出力インタフェース７０５も接続されている。
【０１２５】
入出力インタフェース７０５には、キーボード、マウスなどよりなる入力部７０６、CRT(Cathode Ray Tube)、ＬＣＤ(Liquid Crystal display)などよりなるディスプレイ、並びにスピーカなどよりなる出力部７０７、ハードディスクなどより構成される記憶部７０８、モデム、LANカードなどのネットワークインタフェースカードなどより構成される通信部７０９が接続されている。通信部７０９は、インターネットを含むネットワークを介しての通信処理を行う。
【０１２６】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【０１２７】
上述した一連の処理をソフトウェアにより実行させる場合には、そのソフトウェアを構成するプログラムが、インターネットなどのネットワークや、リムーバブルメディア７１１などからなる記録媒体からインストールされる。
【０１２８】
なお、この記録媒体は、図１３に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているROM７０２や、記憶部７０８に含まれるハードディスクなどで構成されるものも含む。
【０１２９】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０１３０】
【図１】本発明の一実施の形態に係る記録装置の構成例を示す図である。
【図２】カムコーダのメディアに記録されているコンテンツの構成例を示す図である。
【図３】記録装置に取り込まれたコンテンツの構成例を示す図である。
【図４】記録装置が記憶する情報を説明する図である。
【図５】記録装置の制御部の機能的構成例を示すブロック図である。
【図６】データ取り込み処理を説明するフローチャートである。
【図７】図６の処理に伴って表示される画面の例を示す図である。
【図８】図６の処理に伴って表示される別の画面の例を示す図である。
【図９】取り込み実行処理を説明するフローチャートである。
【図１０】図９の処理に先立って表示される画面の例を示す図である。
【図１１】図１０の画面のバーチャートの別の表示例を示す図である。
【図１２】図９の処理の実行中に表示される画面の例を示す図である。
【図１３】パーソナルコンピュータの構成例を示すブロック図である。
【符号の説明】
【０１３１】
２１  記録装置，  ２２  カムコーダ，  ２３  メディア，  ２４  ディスプレイ，  ３１  USBケーブル，  ５１  制御部，  ５２  HDD，  １７１  メディア種類特定部，  １７２  取り込み範囲設定部，  １７３  取り込み実行部，  ７０１  ＣＰＵ，  ７１１  リムーバブルメディア
【図１】
0004807339.tif 000002
【図２】
0004807339.tif 000003
【図３】
0004807339.tif 000004
【図４】
0004807339.tif 000005
【図５】
0004807339.tif 000006
【図６】
0004807339.tif 000007
【図７】
0004807339.tif 000008
【図８】
0004807339.tif 000009
【図９】
0004807339.tif 000010
【図１０】
0004807339.tif 000011
【図１１】
0004807339.tif 000012
【図１２】
0004807339.tif 000013
【図１３】
0004807339.tif 000014